(57)【要約】      （修正有）【課題】３連勝式投票券を購入する場合において、１着、２着、及び３着に入着する馬等をそれぞれ別個に予想してマークカードに記入し投票する方法や、３着以内に入着すると予想される馬等をピックアップしてマークカードに記入しピックアップされた馬等の組み合わせをすべて投票する方法をとる際に、買い目数の計算を容易に行えるようにする。【解決手段】数字の入力を受け付ける数字入力キー１と、行う演算の種類の入力を受け付ける演算キー２と、前記数字入力キー１を利用して入力された数値に基づき入力を受け付けた演算キー２に対応する種類の演算を実行する制御装置４と、演算結果を表示する表示器３とを具備する携帯可能な電卓Ｃにおいて、演算キー２の１つとして、前記数字入力キー１を利用して入力された数値である馬番等に基づき、３連勝単式投票による買い目数の計算を行わせる３連勝単式買い目数計算キーたる「３連単」キー２３を設ける。【選択図】図２
0003111861.tif 000002
【実用新案登録請求の範囲】
【請求項１】
数字の入力を受け付ける数字入力キーと、行う演算の種類の入力を受け付ける演算キーと、前記数字入力キーを利用して入力された数値に基づき入力を受け付けた演算キーに対応する種類の演算を実行する制御装置と、演算結果を表示する表示器とを具備する携帯可能な電卓であって、
演算キーの１つが、前記数字入力キーを利用して入力された数値である馬番等に基づき、３連勝単式フォーメーション投票による買い目数の計算を行わせる３連勝単式買い目数計算キーであることを特徴とする電卓。
【請求項２】
演算キーの１つが、前記数字入力キーを利用して入力された数値である馬番等に基づき、３連勝複式フォーメーション投票による買い目数の計算を行わせる３連勝複式買い目数計算キーであることを特徴とする請求項１記載の電卓。
【請求項３】
演算キーの１つが、前記数字入力キーを利用して入力された数値である馬番等に基づき、３連勝式ボックス投票による買い目数の計算を行わせるボックス買い目数計算キーであることを特徴とする請求項１又は２記載の電卓。
【請求項４】
演算キーの１つが、前記数字入力キーを利用して入力された数値である馬番等に基づき、３連勝単式マルチ投票を行わせるマルチ投票買い目数計算キーであることを特徴とする請求項１、２又は３記載の電卓。
【請求項５】
演算キーの１つが、前記数字入力キーを利用した馬番等の入力の中止を指示する入力中止キーであることを特徴とする請求項１、２、３又は４記載の電卓。
【請求項６】
演算キーの１つが、前記数字入力キーを利用した馬番等の入力を取り消して訂正するための訂正キーであることを特徴とする請求項１、２、３、４又は５記載の電卓。
【考案の詳細な説明】
【技術分野】
【０００１】
本発明は、馬番等の入力を受け付け、買い目数を計算する機能を有する電卓に関する。
【背景技術】
【０００２】
近年、競馬等で１着、２着、及び３着に入着する馬等の組み合わせに投票する３連勝式投票券が発売されるようになり、従来の１着及び２着に入着する馬等の組み合わせに投票する連勝式投票券と比較して配当金の金額が大きいことから人気を呼んでいる。
【０００３】
しかして、３連勝式投票券を購入する場合、１着、２着、及び３着に入着する馬等をそれぞれ別個に予想してマークカードに記入し投票する方法（フォーメーション投票）や、３着以内に入着すると予想される馬等をピックアップしてマークカードに記入しピックアップされた馬等の組み合わせをすべて投票する方法（ボックス投票）が広くとられている。
【０００４】
前記フォーメーション投票を行う際の、買い目数の計算を行うための計算は、パソコンが手元にある場合は、買い目数の計算をサイト上で行うことができる。（例えば、非特許文献１を参照。）
【非特許文献１】日本中央競馬会、“ＪＲＡ馬券ガイド”、[online]、平成16年、日本中央競馬会、［平成17年4月12日検索］、インターネット<URL:http://www.jra.go.jp/baken_guide/mark_form_tensu.html>
【考案の開示】
【考案が解決しようとする課題】
【０００５】
ところで、３連勝式投票券を購入する場合において、前記フォーメーション投票を行う際に、買い目数の計算は複雑であることが多く、特に、パソコンが手元にない状態で、競馬場等でマークカードに記入しその直後に３連勝式投票券を購入する場合には、買い目数が予想の際に見当をつけていた以上に多すぎ、総額が思いがけない多額になる不具合が起こりうる。また、ボックス投票の買い目数はマークカードに印刷してあるものの、人によっては字が小さくて読みにくいと感じられることもある
本考案は、以上に述べた課題を解決し、買い目数の計算を容易に行えるようにするものである。
【課題を解決するための手段】
【０００６】
すなわち本考案に係る電卓は、数字の入力を受け付ける数字入力キーと、行う演算の種類の入力を受け付ける演算キーと、演算を行う演算部及び演算キーが入力を受け付けた際に演算部が対応する演算を実行するためのプログラムを内蔵した記憶部を少なくとも有する制御装置と、演算結果を表示する表示器とを具備する携帯可能な電卓であって、演算キーの１つが、前記数字入力キーを利用して入力された馬番等に基づき、３連勝単式フォーメーション投票による買い目数の計算を行わせる３連勝単式買い目数計算キーであることを特徴とする。
【０００７】
このような電卓を利用すれば、利用者は、３連勝単式買い目数計算キーを押圧し、前記数字入力キーを利用して馬番を入力するだけで、入力された馬番等に基づき買い目数を容易に計算することができる。従って、予想外に点数が多くなりすぎることに伴い発生する上述した不具合の発生を抑えることができる。加えて、携帯可能な電卓として機能するとともに、前記数字入力キーを利用して馬番を入力するようにしているので、馬番等を入力するための特別なキーを追加することなく１０頭立て以上のレースに対応でき、ハードウェアの設計変更を最小限にとどめ、このような機能を有する電卓をより安価に構成することができる。
【０００８】
演算キーの１つが、前記数字入力キーを利用して入力された馬番等に基づき、３連勝複式フォーメーション投票による買い目数の計算を行わせる３連勝複式買い目数計算キーであるものであれば、３連勝複式買い目数計算キーのみを追加することにより、この３連勝複式買い目数計算キーを押圧し、前記数字入力キーを利用して馬番を入力するだけで、３連勝複式フォーメーション投票による買い目数の計算を行わせることができ、ハードウェアの設計変更を最小限にとどめつつより幅広い使用態様に対応できる。
【０００９】
演算キーの１つが、前記数字入力キーを利用して入力された馬番等に基づき、３連勝式ボックス投票による買い目数の計算を行わせるボックス買い目数計算キーであるものであれば、ボックス買い目数計算キーのみを追加することにより、このボックス買い目数計算キーを押圧し、前記数字入力キーを利用して馬番を入力するだけで、３連勝式ボックス投票による買い目数の計算を行わせることができ、ハードウェアの設計変更を最小限にとどめつつさらに幅広い使用態様に対応できる。
【００１０】
演算キーの１つが、前記数字入力キーを利用して入力された馬番等に基づき、３連勝式ボックス投票による買い目数の計算を行わせるマルチ投票買い目数計算キーであるものであれば、マルチ投票買い目数計算キーのみを追加することにより３連勝単式フォーメーションマルチ投票による買い目数の計算を行わせる機能を追加することができ、ハードウェアの設計変更を最小限にとどめつつさらに幅広い使用態様に対応できる。
【００１１】
なお、本考案において、「馬等」とは、馬等の着順を予想する対象物全般を、また、「馬番等」とは、着順を予想する対象物に付された番号全般をそれぞれ含む概念である。
【考案の効果】
【００１２】
本考案に係る電卓を利用すれば、この電卓の利用者は、３連勝単式買い目数計算キーを押圧し、前記数字入力キーを利用して馬番を入力するだけで、入力された馬番等に基づき買い目数を容易に計算することができる。従って、予想外に点数が多くなりすぎることに伴い発生する上述した不具合の発生を抑えることができる。加えて、携帯可能な電卓として機能するとともに、前記数字入力キーを利用して馬番を入力するようにしているので、馬番等を入力するための特別なキーを追加することなく１０頭立て以上のレースに対応でき、ハードウェアの設計変更を最小限にとどめ、このような電卓をより安価に構成することができる。
【考案を実施するための最良の形態】
【００１３】
以下、本考案の一実施形態を、図面を参照して説明する。
【００１４】
本実施形態に係る電卓Ｃは、８桁までの四則演算及び百分率計算が可能な広く知られている電卓としての機能を備えるものであって、外観を図１、構成の概略を図２にそれぞれ示すように、数字の入力を受け付ける数字入力キー１と、行う演算の種類の入力を受け付ける演算キー２と、計算結果等を表示する表示器３と、前記数字入力キー１、演算キー２、及び表示器３に接続してこれらの制御を行うとともに演算を行う制御装置４とを具備する。
【００１５】
しかして、外観を図２に示すように、演算キー２は、少なくとも、四則演算を行うための四則演算キー２１と、演算結果の表示を促すための演算結果キー（以下「＝」キーと称する）２２と、３連勝単式フォーメーション投票による買い目数の計算を行わせることを示すよう表示された３連勝単式買い目数計算キー（以下「３連単」キーと称する）２３と、３連勝複式フォーメーション投票による買い目数の計算を行わせるよう表示された３連勝複式買い目数計算キー（以下「３連複」キーと称する）２４と、３連勝式ボックス投票による買い目数の計算を行わせるよう表示されたボックス買い目数計算キー（以下「ボックス」キーと称する）２５と、３連勝単式マルチ投票を行わせるよう表示されたマルチ投票買い目数計算キー（以下「マルチ」キーと称する）２６、及び入力内容の全消去を行うための全消去キー（以下「ＡＣ」キーと称する）２７と、入力内容を取り消して訂正を行うための訂正キー（以下「Ｃ」キーと称する）２８からなる。
【００１６】
一方、前記制御装置４は、演算部たる中央制御装置４１、記憶部たる内部メモリ４２、入力インタフェース４３、及び出力インタフェース４４を具備する。
【００１７】
入力インタフェース４３には、前記数字入力キー１からの対応する数字を示す数字情報、及び前記演算キー２からの対応する演算の種類を示す演算種類情報が少なくとも入力される。一方、出力インタフェース４４からは、表示器３に対して演算結果等の表示すべき内容を示す表示内容情報が出力されるようになっている。
【００１８】
前記内部メモリ４２には、この電卓Ｃを通常の電卓として機能させる電卓制御プログラムの他に、３連勝単式フォーメーション投票買い目数算出プログラム、３連勝単複式フォーメーション投票買い目数算出プログラム、３連勝式ボックス投票買い目数算出プログラム、及びマルチ買い目数算出ルーチンも内蔵している。
【００１９】
前記３連勝単式フォーメーション投票買い目数算出プログラムは、前記「３連単」キー２３が押圧された際に始動し、このプログラムを中央制御装置４１が実行することにより、１着、２着、又は３着に入着するものと予想した馬番等の入力を促し、前記数字入力キーにより受け付けた馬番等を１着、２着、及び３着として指定する３連勝単式フォーメーション投票による買い目数の算出を行う。
【００２０】
また、前記マルチ買い目数算出ルーチンは、前記３連勝単式フォーメーション投票買い目数算出プログラムの実行中に「マルチ」キー２６が押圧された際に始動し、このプログラムを中央制御装置４１が実行することにより、１着、２着、又は３着に入着するものと予想した馬番等の入力を促し、前記数字入力キーにより受け付けた馬番等を１着、２着、及び３着として指定する３連勝単式フォーメーションマルチ投票による買い目数の算出を行う。
【００２１】
この３連勝単式フォーメーション投票買い目数算出プログラム及び前記マルチ買い目数算出ルーチンによる制御の手順の概要を、フローチャートである図３、図４、図６、及び図７を参照しつつ示す。
【００２２】
まず、前記図３に示すように、ステップＳ１０１では、「３連単」キー２３が押圧されたか否かの判定を行う。このステップＳ１０１において「３連単」キー２３が押圧されたと判定した場合には、ステップＳ１０２に進む。一方、そうでない場合にはこの３連勝単式フォーメーション投票買い目数算出プログラムを終了する。
【００２３】
ステップＳ１０２では、表示器３を介して、１着に入着すると予想する馬番等の入力を促すメッセージを出力する。具体的には、例えば表示器３の左端の桁をメッセージ表示部３ｍとし、このメッセージ表示部３ｍに数字の「１」を点滅表示させる。それから、ステップＳ１０３に進む。
【００２４】
ステップＳ１０３では、前記数字入力キー１を介して、１着に入着すると予想する馬番等の入力を受け付ける。ここで、馬番等は、２桁で続けて入力するようにしている。例えば、１着に４番又は１２番の馬等が入着すると予想する場合には、０４１２と入力するようにしている。なお、この電卓Ｃでは、馬番の入力の際に入力された数字は表示器３に順次表示するようにしているとともに、入力された数字が７桁を越えた場合は、表示器３のメッセージ表示部３ｍ以外の部分の表示を順次左側にスクロールするようにしている。この電卓Ｃにおける馬番等の入力を受け付ける際の表示器３の表示の一例を図５に示す。それから、ステップＳ１０４に進む。
【００２５】
ステップＳ１０４において、「＝」キー２２が押圧されたか否かの判定を行う。このステップＳ１０４において「＝」キー２２が押圧されたと判定した場合には、ステップＳ１０５に進む。一方、そうでない場合にはステップＳ１０３に戻る。
【００２６】
ステップＳ１０５においては、前記ステップＳ１０３で受け付けた馬番等を、前記内部メモリ４２に形成した第１馬番記憶領域４２ａに記憶する。それから、ステップＳ１０６に進む。
【００２７】
ステップＳ１０６では、表示器３を介して、２着に入着すると予想する馬番等の入力を促すメッセージ、例えば数字の「２」を前記メッセージ表示部３ｍに点滅表示させる。それから、ステップＳ１０７に進む。
【００２８】
ステップＳ１０７では、前記数字入力キー１を介して、２着に入着すると予想する馬番等の入力を受け付ける。ここで、馬番等は、２桁で続けて入力するようにしている。例えば、２着に７番又は９番の馬等が入着すると予想する場合には、０７０９と入力するようにしている。それから、ステップＳ１０８に進む。
【００２９】
ステップＳ１０８において、「＝」キー２２が押圧されたか否かの判定を行う。このステップＳ１０８において「＝」キー２２が押圧されたと判定した場合には、ステップＳ１０９に進む。一方、そうでない場合にはステップＳ１０７に戻る。
【００３０】
ステップＳ１０９においては、前記ステップＳ１０７で受け付けた馬番等を、前記内部メモリ４２に形成した第２馬番記憶領域４２ｂに記憶する。それから、ステップＳ１１０に進む。前記図３には、ここまでの制御の手順を示している。
【００３１】
ここからの制御の手順を示すフローチャートは図４に示している。すなわち、ステップＳ１１０では、表示器３を介して、３着に入着すると予想する馬番等の入力を促すメッセージ、例えば数字の「３」を前記メッセージ表示部３ｍに点滅表示させる。それから、ステップＳ１１１に進む。
【００３２】
ステップＳ１１１では、前記数字入力キー１を介して、３着に入着すると予想する馬番等の入力を受け付ける。ここで、馬番等は、２桁で続けて入力するようにしている。例えば、３着に２番又は１５番の馬等が入着すると予想する場合には、０２１５と入力するようにしている。それから、ステップＳ１１２に進む。
【００３３】
ステップＳ１１２において、「＝」キー２２が押圧されたか否かの判定を行う。このステップＳ１１２において「＝」キー２２が押圧されたと判定した場合には、ステップＳ１１３に進む。一方、そうでない場合にはステップＳ１１５に進む。
【００３４】
ステップＳ１１３においては、前記ステップＳ１１１で受け付けた馬番等を、前記内部メモリ４２に形成した第３馬番記憶領域４２ｃに記憶する。それから、ステップＳ１１４に進む。
【００３５】
ステップＳ１１４においては、３連単買い目数算出ルーチンを実行し、前記第１馬番記憶領域４２ａに記憶した馬番等が示す者が１着、第２馬番記憶領域４２ｂに記憶した馬番等が示す者が２着、第３馬番記憶領域４２ｃに記憶した馬番等が示す者が３着となる３連勝単式投票券の買い目数ＶＡＬを計算する。それから、ステップＳ１１８に進む。３連単買い目数算出ルーチンの処理の流れは後述する。
【００３６】
ステップＳ１１５において、「マルチ」キー２６が押圧されたか否かの判定を行う。このステップＳ１１５において「マルチ」キー２６が押圧されたと判定した場合には、ステップＳ１１６に進む。一方、そうでない場合にはステップＳ１１１に戻る。
【００３７】
ステップＳ１１６においては、前記ステップＳ１１１で受け付けた馬番等を、前記内部メモリ４２に形成した第３馬番記憶領域４２ｃに記憶する。それから、ステップＳ１１７に進む。
【００３８】
ステップＳ１１７においては、前記マルチ買い目数算出ルーチンを実行する。すなわち、前記第１馬番記憶領域４２ａに記憶した馬番等が示す者のうち１者と、第２馬番記憶領域４２ｂに記憶した馬番等が示す者のうち１者と、第３馬番記憶領域４２ｃに記憶した馬番等が示す者のうち１者とが、それぞれ順不同で１〜３着となる３連勝単式投票券の買い目数ＶＡＬを計算する。それから、ステップＳ１１８に進む。前記マルチ買い目数算出ルーチンの処理の流れは後述する。
【００３９】
ステップＳ１１８においては、ステップＳ１１４又はステップＳ１１７で計算した買い目数ＶＡＬを表示器３を介して出力する。そして、ステップＳ１０２に戻る。
【００４０】
ここで、３連単買い目数算出ルーチンの処理の流れについてフローチャートである図６を参照しつつ以下に述べる。
【００４１】
まず、ステップＳ１１４１において、第１馬番記憶領域４２ａ、第２馬番記憶領域４２ｂ、及び第３馬番記憶領域４２ｃに記憶されている馬番等の数ＡＡ、ＢＢ、及びＣＣを計数し、これら３つの積Ｓ１＝ＡＡ×ＢＢ×ＣＣを算出する。
【００４２】
ステップＳ１１４２においては、第１馬番記憶領域４２ａと第２馬番記憶領域４２ｂとに重複して記憶されている馬番等の数ＡＢを計数し、このような馬番等の数ＡＢと第３馬番記憶領域４２ｃに記憶されている馬番等の数ＣＣとの積Ｓ２＝ＡＢ×ＣＣを算出する。
【００４３】
ステップＳ１１４３においては、第２馬番記憶領域４２ｂと第３馬番記憶領域４２ｃとに重複して記憶されている馬番等の数ＢＣを計数し、このような馬番等の数ＢＣと第１馬番記憶領域４２ａに記憶されている馬番等の数ＡＡとの積Ｓ３＝ＢＣ×ＡＡを算出する。
【００４４】
ステップＳ１１４４においては、第１馬番記憶領域４２ａと第３馬番記憶領域４２ｃとに重複して記憶されている馬番等の数ＡＣを計数し、このような馬番等の数ＡＣと第２馬番記憶領域４２ｂに記憶されている馬番等の数ＢＢとの積Ｓ４＝ＡＣ×ＢＢを算出する。
【００４５】
ステップＳ１１４５においては、第１馬番記憶領域４２ａ、第２馬番記憶領域４２ｂ、及び第３馬番記憶領域４２ｃのすべてに重複して記憶されている馬番等の数ＡＢＣを計数する。
【００４６】
ステップＳ１１４６においては、求める買い目数ＶＡＬを、以下に示す数式により計算する。
【００４７】
ＶＡＬ＝Ｓ１−（Ｓ２＋Ｓ３＋Ｓ４）＋２＊ＡＢＣ
すなわち、これら第１〜３馬番記憶領域４２ａ〜４２ｃに記憶されている馬番に重複が全くない場合には、前記Ｓ１がそのまま求める買い目数であり、上述した式の第２項以降で、重複部分の処理を行うようにしている。
【００４８】
また、マルチ買い目数算出ルーチンの処理の流れについてフローチャートである図７を参照しつつ以下に述べる。
【００４９】
まず、ステップＳ１１７１において、第１馬番記憶領域４２ａ、第２馬番記憶領域４２ｂ、及び第３馬番記憶領域４２ｃに記憶されている馬番等の数ＡＡ、ＢＢ、及びＣＣをそれぞれ計数し、さらに、第１馬番記憶領域４２ａと第２馬番記憶領域４２ｂとに重複して記憶されている馬番等の数ＡＢ、第２馬番記憶領域４２ｂと第３馬番記憶領域４２ｃとに重複して記憶されている馬番等の数ＢＣ、第１馬番記憶領域４２ａと第３馬番記憶領域４２ｃとに重複して記憶されている馬番等の数ＡＣ、及び第１馬番記憶領域４２ａ、第２馬番記憶領域４２ｂ、及び第３馬番記憶領域４２ｃのすべてに重複して記憶されている馬番等の数ＡＢＣをそれぞれ計数する。それから、ステップＳ１１７２に進む。
【００５０】
ステップＳ１１７２においては、第１馬番記憶領域４２ａ、第２馬番記憶領域４２ｂ、及び第３馬番記憶領域４２ｃに記憶されているうち、他の馬番記憶領域いずれにも重複して記憶されていない馬番等の数ＯＡ、ＯＢ、及びＯＣを計数する。それから、ステップＳ１１７３に進む。
【００５１】
ステップＳ１１７３においては、第１馬番記憶領域４２ａ及び第２馬番記憶領域４２ｂに重複して記憶されているうち、第３馬番記憶領域４２ｃに重複して記憶されていない馬番等の数ＯＡＢ＝ＡＢ−ＡＢＣ、第２馬番記憶領域４２ｂ及び第３馬番記憶領域４２ｃに重複して記憶されているうち、第１馬番記憶領域４２ａに重複して記憶されていない馬番等の数ＯＢＣ＝ＢＣ−ＡＢＣ、及び第１馬番記憶領域４２ａ及び第３馬番記憶領域４２ｃに重複して記憶されているうち、第２馬番記憶領域４２ｂに重複して記憶されていない馬番等の数ＯＡＣ＝ＡＣ−ＡＢＣを算出する。それから、ステップＳ１１７４に進む。
【００５２】
ステップＳ１１７４においては、第１馬番記憶領域４２ａに記憶されているうち、他の馬番記憶領域いずれにも重複して記憶されていない馬番等を含む組み合わせの数Ｖ１を計算する。それから、ステップＳ１１７５に進む。
【００５３】
V1=OA x (BB x CC − BC2 + BC x (BC - 1) / 2)
ステップＳ１１７５においては、第１馬番記憶領域４２ａに記憶されているうち、第２馬番記憶領域４２ｂにのみ重複して記憶されている馬番等を含む組み合わせ数Ｖ２を計算する。それから、ステップＳ１１７６に進む。
【００５４】
V2=OAB x ((BB − OAB) x CC − BC2 + BC x (BC - 1) / 2) +OAB x (OAB −1) x CC /2
ステップＳ１１７６においては、第１馬番記憶領域４２ａに記憶されているうち、第３馬番記憶領域４２ｃにのみ重複して記憶されている馬番等を含み、かつ前記第２馬番記憶領域４２ｂにのみ重複して記憶されている馬番等は含まない組み合わせ数Ｖ３を計算する。それから、ステップＳ１１７７に進む。
【００５５】
V3=OAC x ((BB − OAB) x (CC − OAC) − BC2 + BC x (BC - 1) / 2) +OAC x (OAC −1) x BB /2
ステップＳ１１７７においては、第１馬番記憶領域４２ａに記憶されているうち、第２馬番記憶領域４２ｂ及び第３馬番記憶領域４２ｃの両方に重複して記憶されている馬番等を含み、かつ前記第２馬番記憶領域４２ｂにのみ重複して記憶されている馬番及び第３馬番記憶領域４２ｃにのみ重複して記憶されている馬番等は含まない組み合わせ数Ｖ４を計算する。それから、ステップＳ１１７８に進む。
【００５６】
V4=ABC x (OB x (OC + OBC) + OBC x OC ) + ABC x (ABC − 1) x (OB + OBC + OC) / 2+ OBC x (OBC − 1) x ABC / 2 + ABC x (ABC - 1) x (ABC − 2) /6
ステップＳ１１７８においては、求める買い目数ＶＡＬを計算する。
【００５７】
ＶＡＬ＝（Ｖ１＋Ｖ２＋Ｖ３＋Ｖ４）＊６
このようにして、「３連単」キー２３を押圧することにより、前記数字入力キー１を利用して入力された数値である馬番等に基づき、３連勝単式フォーメーション投票による買い目数の計算を行わせるとともに、「マルチ」キー２６を押圧することにより、前記数字入力キーを利用して入力された数値である馬番等に基づき、３連勝単式マルチ投票による買い目数の計算を行わせるようにしている。
【００５８】
また、前記３連勝複式フォーメーション投票買い目数算出プログラムは、前記「３連複」キー２４が押圧された際に始動し、このプログラムを中央制御装置４１が実行することにより、１着、２着、又は３着に入着するものと予想した馬番等の入力を促し、前記数字入力キーにより受け付けた馬番等を１着、２着、及び３着として指定する３連勝複式フォーメーション投票による買い目数の算出を行う。
【００５９】
この３連勝複式フォーメーション投票買い目数算出プログラムによる制御の手順の概要を、フローチャートである図８及び図９を参照しつつ示す。
【００６０】
まず、前記図８に示すように、ステップＳ２０１では、「３連複」キー２４が押圧されたか否かの判定を行う。このステップＳ２０１において「３連複」キー２４が押圧されたと判定した場合には、ステップＳ２０２に進む。一方、そうでない場合にはこの３連勝複式フォーメーション投票買い目数算出プログラムを終了する。
【００６１】
ステップＳ２０２では、表示器３を介して、１着に入着すると予想する馬番等の入力を促すメッセージ、例えば数字の「１」を前記メッセージ表示部３ｍに点滅表示させる。それから、ステップＳ２０３に進む。
【００６２】
ステップＳ２０３では、前記数字入力キー１を介して、１着に入着すると予想する馬番等の入力を受け付ける。ここで、馬番等は、２桁で続けて入力するようにしている。例えば、１着に４番又は１２番の馬等が入着すると予想する場合には、０４１２と入力するようにしている。それから、ステップＳ２０４に進む。
【００６３】
ステップＳ２０４において、「＝」キー２２が押圧されたか否かの判定を行う。このステップＳ２０４において「＝」キー２２が押圧されたと判定した場合には、ステップＳ２０５に進む。一方、そうでない場合にはステップＳ２０３に戻る。
【００６４】
ステップＳ２０５においては、前記ステップＳ２０３で受け付けた馬番等を、前記内部メモリ４２に形成した第１馬番記憶領域４２ａに記憶する。それから、ステップＳ２０６に進む。
【００６５】
ステップＳ２０６では、表示器３を介して、２着に入着すると予想する馬番等の入力を促すメッセージ、例えば数字の「２」を前記メッセージ表示部３ｍに点滅表示させる。それから、ステップＳ２０７に進む。
【００６６】
ステップＳ２０７では、前記数字入力キー１を介して、２着に入着すると予想する馬番等の入力を受け付ける。ここで、馬番等は、２桁で続けて入力するようにしている。例えば、２着に７番又は９番の馬等が入着すると予想する場合には、０７０９と入力するようにしている。それから、ステップＳ２０８に進む。
【００６７】
ステップＳ２０８において、「＝」キー２２が押圧されたか否かの判定を行う。このステップＳ２０８において「＝」キー２２が押圧されたと判定した場合には、ステップＳ２０９に進む。一方、そうでない場合にはステップＳ２０７に戻る。
【００６８】
ステップＳ２０９においては、前記ステップＳ２０７で受け付けた馬番等を、前記内部メモリ４２に形成した第２馬番記憶領域４２ｂに記憶する。それから、ステップＳ２１０に進む。前記図８には、ここまでの制御の手順を示している。
【００６９】
ここからの制御の手順を示すフローチャートは図９に示している。すなわち、ステップＳ２１０では、表示器３を介して、３着に入着すると予想する馬番等の入力を促すメッセージ、例えば数字の「３」を前記メッセージ表示部３ｍに点滅表示させる。それから、ステップＳ２１１に進む。
【００７０】
ステップＳ２１１では、前記数字入力キー１を介して、３着に入着すると予想する馬番等の入力を受け付ける。ここで、馬番等は、２桁で続けて入力するようにしている。例えば、３着に２番又は１５番の馬等が入着すると予想する場合には、０２１５と入力するようにしている。それから、ステップＳ２１２に進む。
【００７１】
ステップＳ２１２において、「＝」キー２２が押圧されたか否かの判定を行う。このステップＳ２１２において「＝」キー２２が押圧されたと判定した場合には、ステップＳ２１３に進む。一方、そうでない場合にはステップＳ２１１に戻る。
【００７２】
ステップＳ２１３においては、前記ステップＳ２１１で受け付けた馬番等を、前記内部メモリ４２に形成した第３馬番記憶領域４２ｃに記憶する。それから、ステップＳ２１４に進む。
【００７３】
ステップＳ２１４においては、３連複買い目数算出ルーチンを実行し、前記第１馬番記憶領域４２ａに記憶した馬番等が示す者のうち１者、第２馬番記憶領域４２ｂに記憶した馬番等が示す者のうち１者、及び第３馬番記憶領域４２ｃに記憶した馬番等が示す者のうち１者、計３者が１〜３着となる３連勝複式投票券の組み合わせ数を計算する。それから、ステップＳ２１５に進む。なお、３連複買い目数算出ルーチンにより求められる買い目数は、前述したマルチ買い目数算出ルーチンで求められる買い目数の６分の１である。すなわち、この３連複買い目数算出ルーチンにおいては、前記マルチ買い目数算出ルーチンを実行した際の計算結果である買い目数ＶＡＬを６で割って、求める３連勝複式投票券の買い目数を計算する処理を行うようにしている。
【００７４】
ステップＳ２１５においては、ステップＳ２１４で計算した買い目数ＶＡＬを、表示器３を介して出力する。そして、ステップＳ２０２に戻る。
【００７５】
このようにして、「３連複」キー２４を押圧することにより、前記数字入力キー１を利用して入力された数値である馬番等に基づき、３連勝複式フォーメーション投票による買い目数の計算を行わせるようにしている。
【００７６】
前記３連勝式ボックス投票買い目数算出プログラムは、前記「ボックス」キー２５が押圧された際に始動し、このプログラムを中央制御装置４１が実行することにより、１着、２着、又は３着に入着するものと予想した馬番等の入力を促し、前記数字入力キーにより受け付けた馬番等を１着、２着、及び３着として指定する３連勝単式ボックス投票による買い目数の計算を行う。
【００７７】
この３連勝式ボックス投票買い目数算出プログラムによる制御の手順の概要を、フローチャートである図１０を参照しつつ示す。
【００７８】
まず、ステップＳ３０１では、「ボックス」キー２５が押圧されたか否かの判定を行う。このステップＳ３０１において「ボックス」キー２５が押圧されたと判定した場合には、ステップＳ３０２に進む。一方、そうでない場合にはこの３連勝式ボックス投票買い目数算出プログラムを終了する。
【００７９】
ステップＳ３０２では、表示器３を介して、１〜３着に入着すると予想する馬番等の入力を促すメッセージ、例えば「ｂ」を前記メッセージ表示部３ｍに点滅表示させる。それから、ステップＳ３０３に進む。
【００８０】
ステップＳ３０３では、前記数字入力キー１を介して、１〜３着に入着すると予想する馬番等の入力を受け付ける。ここで、馬番等は、２桁で続けて入力するようにしている。例えば、１〜３着に４番、５番、９番、１１番、又は１２番の馬等が入着すると予想する場合には、０４０５０９１１１２と入力するようにしている。それから、ステップＳ３０４に進む。
【００８１】
ステップＳ３０４において、「＝」キー２２が押圧されたか否かの判定を行う。このステップＳ３０４において「＝」キー２２が押圧されたと判定した場合には、ステップＳ３０５に進む。一方、そうでない場合にはステップＳ３０３に戻る。
【００８２】
ステップＳ３０５においては、前記ステップＳ２０３で受け付けた馬番等を、前記内部メモリ４２に形成した第１馬番記憶領域４２ａに記憶する。それから、ステップＳ３０６に進む。
【００８３】
ステップＳ３０６においては、ボックス買い目数算出ルーチンを実行し、前記第１馬番記憶領域４２ａに記憶した馬番のうち３つが１〜３着となる３連勝単式投票券の組み合わせ数を計算する。それから、ステップＳ３０７に進む。前記ボックス買い目数算出ルーチンにおいては、まず、第１馬番記憶領域４２ａに記憶されている馬番の数ＡＡを計数し、続いて、求める買い目数ＶＡＬを、以下に示す数式により計算する。
【００８４】
ＶＡＬ＝AAＰ3
ステップＳ３０７においては、ステップＳ３０６で計算した買い目数ＶＡＬを表示器３を介して出力する。そして、ステップＳ３０２に戻る。
【００８５】
このようにして、「ボックス」キー２５を押圧することにより、前記数字入力キー１を利用して入力された数値である馬番等に基づき、３連勝式ボックス投票による買い目数の計算を行わせるようにしている。
【００８６】
そして、この電卓Ｃは、前記「ＡＣ」キー２７が押圧された際には、前記３連勝単式フォーメーション投票買い目数算出プログラム、３連勝複式フォーメーション投票買い目数算出プログラム、及び３連勝式ボックス投票買い目数算出プログラムの実行を中止し、前記電卓制御プログラムを実行するようにしている。すなわち、前記「ＡＣ」キー２７は、請求項中の入力中止キーとして機能する。
【００８７】
以上に述べたように、本実施形態に係る電卓Ｃでは、「３連単」キー２３を押圧し、前記３連勝単式フォーメーション投票買い目数算出プログラムを起動させ、前記数字入力キー１を利用して馬番等を入力するだけで、前記数字入力キー１を利用して入力された馬番等に基づき買い目数を容易に計算することができる。従って、予想外に点数が多くなりすぎることに伴い発生する、思わぬ出費等の不具合の発生を抑えることができる。加えて、携帯可能な電卓として機能するとともに、前記数字入力キー１を利用して馬番を入力するようにしているので、馬番等を入力するための特別なキーを追加することなく１０頭立て以上のレースに対応でき、ハードウェアの設計変更を最小限にとどめ、このような機能を有する電卓をより安価に構成することができる。
【００８８】
また、演算キー２の１つが、前記「マルチ」キー２６であるので、従来の電卓に前記「３連単」キー２３及び「マルチ」キー２６のみを追加し、前記３連勝単式フォーメーション投票買い目数算出プログラムの実行中にこの「マルチ」キー２６を押圧して前記３連勝単式マルチ投票買い目数算出プログラムを始動させることにより、前記数字入力キー１を利用して入力された馬番等に基づき３連勝単式フォーメーションマルチ投票による買い目数の計算を行わせることができ、このような機能を実現するためのハードウェアの設計変更を最小限にとどめることができる。
【００８９】
加えて、演算キー２の１つが、前記「３連複」キー２４であるので、従来の電卓に前記「３連複」キー２４のみを追加し、前記３連勝複式フォーメーション投票買い目数算出プログラムを始動させることにより、前記数字入力キー１を利用して入力された馬番等に基づき３連勝複式フォーメーション投票による買い目数の計算を行わせることができ、このような機能を実現するためのハードウェアの設計変更を最小限にとどめることができる。
【００９０】
そして、演算キー２の１つが、前記「ボックス」キー２５であるので、従来の電卓に前記「ボックス」キー２５のみを追加し、前記３連勝式ボックス投票買い目数算出プログラムを始動させることにより、前記数字入力キー１を利用して入力された馬番等に基づき３連勝単式フォーメーションマルチ投票による買い目数の計算を行わせることができ、このような機能を実現するためのハードウェアの設計変更を最小限にとどめることができる。
【００９１】
その他、本考案の趣旨を損ねない範囲で種々に変更してよい。
【００９２】
なお、本考案は以上に述べた態様に限られない。
【００９３】
例えば、前記「３連複」キー２４、前記「ボックス」キー２５、及び「マルチ」キー２６のうちの一部又は全部を省略するようにしてもよい。また、前記「３連単」キー２３に「３連複」キー２４としての機能を兼ね備えるようにしてもよい。すなわち、前記「３連単」キー２３が押圧され、上述したステップＳ１０１〜ステップＳ１１４の処理が行われた後、さらに前記第１馬番記憶領域４２ａに記憶した馬番等が示す者のうち１者、第２馬番記憶領域４２ｂに記憶した馬番等が示す者のうち１者、第３馬番記憶領域４２ｃに記憶した馬番等が示す者のうち１者、計３者がそれぞれ１〜３着となる３連勝複式投票券の買い目数を計算し、計算した３連勝単式投票券及び３連勝複式投票券の買い目数を左右に並べて表示部３に表示するようにしてもよい。同様に、前記「ボックス」キー２５に、３連勝単式ボックス投票の買い目数を算出する機能と、３連勝複式ボックス投票の買い目数を算出する機能とをともに具備させ、３連勝単式ボックス投票の買い目数と３連勝複式ボックス投票の買い目数とを左右に並べて表示部３に表示するようにしてもよい。
【００９４】
さらに、前記メッセージ表示部３ｍは、数字表示部の左端の桁でなく、右端の桁に設定してももちろんよく、また、数字表示部の外側に別途投票方式及び「１着」等の文字を表示させるようにしてももちろんよい。
【００９５】
加えて、「Ｃ」キー２８が、馬番等の入力を取り消して訂正するための訂正キーであってもよい。さらに、馬番等の入力を取り消した状態又は馬番等がまだ入力されていない状態で「Ｃ」キー２８を押圧すると、１つ前の着順に入着すると予想する馬番等の入力を受け付ける状態に戻るようにしてももちろんよい。
【００９６】
そして、８桁以上、例えば１０桁ないし１２桁までの計算を行えるようにする等、本考案の趣旨を逸脱しない範囲で種々変形が可能である。
【図面の簡単な説明】
【００９７】
【図１】本考案の一実施形態に係る電卓の全体図。
【図２】同実施形態に係る電卓の構成を示す概略図。
【図３】同実施形態に係る電卓により３連勝単式フォーメーション投票の買い目数を計算する手順を示すフローチャート。
【図４】同実施形態に係る電卓により３連勝単式フォーメーション投票の買い目数を計算する手順を示すフローチャート。
【図５】同実施形態に係る電卓が馬番等の入力を受け付ける際の表示器の表示態様の一例を示す図。
【図６】同実施形態に係る電卓に係る３連単買い目数算出ルーチンの処理の手順を示すフローチャート。
【図７】同実施形態に係る電卓に係るマルチ買い目数算出ルーチンの処理の手順を示すフローチャート。
【図８】同実施形態に係る電卓により３連勝複式フォーメーション投票の買い目数を計算する手順を示すフローチャート。
【図９】同実施形態に係る電卓により３連勝複式フォーメーション投票の買い目数を計算する手順を示すフローチャート。
【図１０】同実施形態に係る電卓により３連勝式ボックス投票の買い目数を計算する手順を示すフローチャート。
【符号の説明】
【００９８】
Ｃ…電卓
１…数字入力キー
２…演算キー
２３…「３連単」キー（３連勝単式買い目数計算キー）
２４…「３連複」キー（３連勝複式買い目数計算キー）
２５…「ボックス」キー（ボックス買い目数計算キー）
２６…「マルチ」キー（マルチ投票買い目数計算キー）
２７…「ＡＣ」キー（全消去キー）
３…表示器
４…制御装置
【図１】
0003111861.tif 000003
【図２】
0003111861.tif 000004
【図３】
0003111861.tif 000005
【図４】
0003111861.tif 000006
【図５】
0003111861.tif 000007
【図６】
0003111861.tif 000008
【図７】
0003111861.tif 000009
【図８】
0003111861.tif 000010
【図９】
0003111861.tif 000011
【図１０】
0003111861.tif 000012